【手続補正書】
【提出日】平成19年8月10日(2007.8.10)
【手続補正１】
【補正対象書類名】特許請求の範囲
【補正対象項目名】全文
【補正方法】変更
【補正の内容】
【特許請求の範囲】
【請求項１】
入力された画像データを符号化する符号化装置において、
前記画像データを所定のサイズのブロックにブロック化するブロック化手段と、
前記ブロック化手段によってブロック化された各ブロックに含まれる画素の最大値または最小値の少なくとも一方を検出する検出手段と、
前記検出手段によって検出された前記最大値および前記最小値、または前記最大値もしくは前記最小値を、それぞれが属する数値範囲を代表する代表最大値または代表最小値に置換する置換手段と、
前記置換手段によって、前記最大値および前記最小値の少なくとも一方が前記代表最大値または前記代表最小値に置換された前記ブロックの画像データに対して符号化を行なう符号化手段と
を含むことを特徴とする符号化装置。
【請求項２】
前記検出手段は、前記ブロック化手段によってブロック化された各ブロックに含まれる画素の最大値および最小値を検出し、
前記置換手段は、前記検出手段によって検出された前記最大値を、前記最大値が属する数値範囲を代表する代表最大値に置換するとともに、前記検出手段によって検出された前記最小値を、前記最小値が属する数値範囲を代表する代表最小値に置換し、
前記符号化手段は、前記置換手段によって前記最大値が前記代表最大値に置換され、前記最小値が前記代表最小値に置換された前記ブロックの画像データに対して符号化を行なう
ことを特徴とする請求項１に記載の符号化装置。
【請求項３】
前記画像データには、ノイズが付加されている
ことを特徴とする請求項１に記載の符号化装置。
【請求項４】
入力された前記画像データにノイズを付加するノイズ付加手段を
さらに含むことを特徴とする請求項１に記載の符号化装置。
【請求項５】
前記画像データは、少なくとも１度符号化された後、復号化されている
ことを特徴とする請求項１に記載の符号化装置。
【請求項６】
前記符号化手段は、ADRC(Adaptive Dynamic Range Coding)を適用して、前記置換手段によって最大値および最小値が置換された前記ブロックの画像データに対して符号化を行なう
ことを特徴とする請求項２に記載の符号化装置。
【請求項７】
前記ブロック化手段は、１枚の画像データを２次元のブロックにブロック化する
ことを特徴とする請求項１に記載の符号化装置。
【請求項８】
前記符号化手段は、前記置換手段によって前記最大値が前記代表最大値に置換され、前記最小値が前記代表最小値に置換された前記ブロックの画像データに対し、置換された前記代表最大値と前記代表最小値との差をダイナミックレンジとし、前記ダイナミックレンジの間に設けた前記代表最大値および前記代表最小値を含む複数の量子化代表値のいずれかが復号結果となるように、ADRCを適用して符号化を行なう
ことを特徴とする請求項７に記載の符号化装置。
【請求項９】
前記ブロック化手段は、複数枚の画像データを３次元のブロックにブロック化する
ことを特徴とする請求項１に記載の符号化装置。
【請求項１０】
前記符号化手段は、
前記置換手段によって前記最大値が前記代表最大値に置換され、前記最小値が前記代表最小値に置換された前記ブロックを、前記代表最大値および前記代表最小値がそれぞれ共通であるブロックの集合であるブロック群に分類する分類手段と、
各ブロック群に対して、前記代表最大値と前記代表最小値との差であるダイナミックレンジにおける、前記ブロック群に分類されたブロックの画素の画素値の頻度分布を求め、前記画素値の頻度分布に基づいて、前記ダイナミックレンジの間に複数の量子化代表値を設定し、前記複数の量子化代表値からなる量子化テーブルを作成する作成手段と、
前記置換手段によって前記最大値が前記代表最大値に置換され、前記最小値が前記代表最小値に置換された前記ブロックの画像データに対し、前記ブロックが分類された前記ブロック群に対応する前記量子化テーブルを用いてADRCにより量子化する量子化手段とを含む
ことを特徴とする請求項９に記載の符号化装置。
【請求項１１】
前記符号化手段の出力結果を復号化する復号化手段を
さらに含むことを特徴とする請求項１に記載の符号化装置。
【請求項１２】
入力された画像データを符号化する符号化方法において、
前記画像データを所定のサイズのブロックにブロック化するブロック化ステップと、
前記ブロック化ステップの処理でブロック化された各ブロックに含まれる画素の最大値または最小値の少なくとも一方を検出する検出ステップと、
前記検出ステップの処理で検出された前記最大値および前記最小値、または前記最大値もしくは前記最小値を、それぞれが属する数値範囲を代表する代表最大値または代表最小値に置換する置換ステップと、
前記置換ステップの処理で、前記最大値および前記最小値の少なくとも一方が前記代表最大値または前記代表最小値に置換された前記ブロックの画像データに対して符号化を行なう符号化ステップと
を含むことを特徴とする符号化方法。
【請求項１３】
入力された画像データを符号化するためのプログラムであって、
前記画像データを所定のサイズのブロックにブロック化するブロック化ステップと、
前記ブロック化ステップの処理でブロック化された各ブロックに含まれる画素の最大値または最小値の少なくとも一方を検出する検出ステップと、
前記検出ステップの処理で検出された前記最大値および前記最小値、または前記最大値もしくは前記最小値を、それぞれが属する数値範囲を代表する代表最大値または代表最小値に置換する置換ステップと、
前記置換ステップの処理で、前記最大値および前記最小値の少なくとも一方が前記代表最大値または前記代表最小値に置換された前記ブロックの画像データに対して符号化を行なう符号化ステップと
を含むことを特徴とするコンピュータが読み取り可能なプログラムが記録されている記録媒体。
【請求項１４】
入力された画像データを符号化するためのプログラムであって、
前記画像データを所定のサイズのブロックにブロック化するブロック化ステップと、
前記ブロック化ステップの処理でブロック化された各ブロックに含まれる画素の最大値または最小値の少なくとも一方を検出する検出ステップと、
前記検出ステップの処理で検出された前記最大値および前記最小値、または前記最大値もしくは前記最小値を、それぞれが属する数値範囲を代表する代表最大値または代表最小値に置換する置換ステップと、
前記置換ステップの処理で、前記最大値および前記最小値の少なくとも一方が前記代表最大値または前記代表最小値に置換された前記ブロックの画像データに対して符号化を行なう符号化ステップと
を含む処理をコンピュータに実行させることを特徴とするプログラム。
【請求項１５】
画像データを符号化する符号化部と、前記符号化部の出力を復号化する復号化部とを備え、前記画像データに対して符号化と復号化を繰り返すと前記画像データが劣化される画像処理システムにおいて、
前記符号化部は、
前記画像データを所定のサイズのブロックにブロック化するブロック化手段と、
前記ブロック化手段によってブロック化された各ブロックに含まれる画素の最大値または最小値の少なくとも一方を検出する検出手段と、
前記検出手段によって検出された前記最大値および前記最小値、または前記最大値もしくは前記最小値を、それぞれが属する数値範囲を代表する代表最大値または代表最小値に置換する置換手段と、
前記置換手段によって、前記最大値および前記最小値の少なくとも一方が前記代表最大値または前記代表最小値に置換された前記ブロックの画像データに対して符号化を行なう符号化手段とを含む
ことを特徴とする画像処理システム。
【手続補正２】
【補正対象書類名】明細書
【補正対象項目名】発明の名称
【補正方法】変更
【補正の内容】
【発明の名称】符号化装置および方法、記録媒体、プログラム、並びに画像処理システム
【手続補正３】
【補正対象書類名】明細書
【補正対象項目名】０００１
【補正方法】変更
【補正の内容】
【０００１】
本発明は、符号化装置および方法、記録媒体、プログラム、並びに画像処理システムに関し、特に、アナログデータのコピーを抑止する場合に用いて好適な符号化装置および方法、記録媒体、プログラム、並びに画像処理システムに関する。
【手続補正４】
【補正対象書類名】明細書
【補正対象項目名】００２２
【補正方法】削除
【補正の内容】
【手続補正５】
【補正対象書類名】明細書
【補正対象項目名】００２３
【補正方法】削除
【補正の内容】
【手続補正６】
【補正対象書類名】明細書
【補正対象項目名】００２４
【補正方法】削除
【補正の内容】
【手続補正７】
【補正対象書類名】明細書
【補正対象項目名】００２５
【補正方法】削除
【補正の内容】
【手続補正８】
【補正対象書類名】明細書
【補正対象項目名】００２６
【補正方法】削除
【補正の内容】
【手続補正９】
【補正対象書類名】明細書
【補正対象項目名】００２７
【補正方法】削除
【補正の内容】
【手続補正１０】
【補正対象書類名】明細書
【補正対象項目名】００２８
【補正方法】削除
【補正の内容】
【手続補正１１】
【補正対象書類名】明細書
【補正対象項目名】００２９
【補正方法】削除
【補正の内容】
【手続補正１２】
【補正対象書類名】明細書
【補正対象項目名】００３０
【補正方法】削除
【補正の内容】
【手続補正１３】
【補正対象書類名】明細書
【補正対象項目名】００３５
【補正方法】削除
【補正の内容】
【手続補正１４】
【補正対象書類名】明細書
【補正対象項目名】００３６
【補正方法】削除
【補正の内容】
【手続補正１５】
【補正対象書類名】明細書
【補正対象項目名】００３７
【補正方法】削除
【補正の内容】
【手続補正１６】
【補正対象書類名】明細書
【補正対象項目名】００３８
【補正方法】削除
【補正の内容】
【手続補正１７】
【補正対象書類名】明細書
【補正対象項目名】００３９
【補正方法】削除
【補正の内容】
【手続補正１８】
【補正対象書類名】明細書
【補正対象項目名】００４０
【補正方法】変更
【補正の内容】
【００４０】
本発明の画像処理システムにおいては、符号化部により、画像データが所定のサイズのブロックにブロック化され、ブロック化された各ブロックに含まれる画素の最大値または最小値の少なくとも一方が検出され、検出された最大値および最小値、または最大値もしくは最小値が、それぞれが属する数値範囲を代表する代表最大値または代表最小値に置換され、最大値および最小値の少なくとも一方が代表最大値または代表最小値に置換されたブロックの画像データに対して符号化が行なわれる。
【手続補正１９】
【補正対象書類名】明細書
【補正対象項目名】００５２
【補正方法】削除
【補正の内容】
【手続補正２０】
【補正対象書類名】明細書
【補正対象項目名】００５３
【補正方法】削除
【補正の内容】
【手続補正２１】
【補正対象書類名】明細書
【補正対象項目名】００５４
【補正方法】削除
【補正の内容】
【手続補正２２】
【補正対象書類名】明細書
【補正対象項目名】００５５
【補正方法】削除
【補正の内容】
【手続補正２３】
【補正対象書類名】明細書
【補正対象項目名】００５６
【補正方法】変更
【補正の内容】
【００５６】
請求項１５に記載の画像処理システム（例えば、図１の画像表示システム１）は、符号化部（例えば、符号化部２２−２）が、画像データを所定のサイズのブロックにブロック化するブロック化手段（例えば、図５のブロック分割部６１）と、ブロック化手段によってブロック化された各ブロックに含まれる画素の最大値または最小値の少なくとも一方を検出する検出手段（例えば、図５の最値検出部６２）と、検出手段によって検出された最大値および最小値、または最大値もしくは最小値を、それぞれが属する数値範囲を代表する代表最大値または代表最小値に置換する置換手段（例えば、図５の最値置換部６３）と、置換手段によって、最大値および最小値の少なくとも一方が代表最大値または代表最小値に置換されたブロックの画像データに対して符号化を行なう符号化手段（例えば、図５のブロック符号化部６４）とを含む。
【手続補正２４】
【補正対象書類名】明細書
【補正対象項目名】００５７
【補正方法】削除
【補正の内容】
【手続補正２５】
【補正対象書類名】明細書
【補正対象項目名】００５８
【補正方法】削除
【補正の内容】
【手続補正２６】
【補正対象書類名】明細書
【補正対象項目名】００５９
【補正方法】削除
【補正の内容】
【手続補正２７】
【補正対象書類名】明細書
【補正対象項目名】００６０
【補正方法】削除
【補正の内容】
【手続補正２８】
【補正対象書類名】明細書
【補正対象項目名】００６１
【補正方法】削除
【補正の内容】